(57)【要約】【課題】乗降場の混雑を緩和することができる課金装置、課金方法、およびプログラムを提供すること。【解決手段】駐車場の乗降場にいる車両および前記車両の乗員構成を認識する認識部と、前記車両の前記乗降場付近の滞在時間を測定する測定部と、前記認識部による認識結果に基づいて前記乗降場の利用料金を決定する決定部と、を備える、課金装置。【選択図】図５
2020166631.tif 000002
【特許請求の範囲】
【請求項１】
駐車場の乗降場を利用する車両および前記車両の乗員構成を認識する認識部と、
前記車両の前記乗降場付近の滞在時間を測定する測定部と、
前記認識部による認識結果に基づいて前記乗降場の利用料金を決定する決定部と、
を備える、課金装置。
【請求項２】
前記認識部は、前記車両に乗車したまたは乗車しようとしているユーザの数を前記乗員構成として認識し、
前記決定部は、前記ユーザの数に応じて前記車両に対して前記乗降場の利用を許容する基本時間を計算し、前記認識部により認識された前記滞在時間が前記基本時間より短い場合、前記ユーザに報酬を与える、
請求項１に記載の課金装置。
【請求項３】
前記決定部は、前記報酬の発生を事前予測し、前記事前予測した結果を前記ユーザに通知する、
請求項２に記載の課金装置。
【請求項４】
前記報酬は、前記利用料金の課金レートをより割安なレートに変更すること、前記乗降場の利用に対する料金の割引または値引きのうち少なくともいずれかを提供することである、
請求項２または３に記載の課金装置。
【請求項５】
前記認識部は、前記車両に乗車したまたは乗車しようとしているユーザの数を前記乗員構成として認識し
前記決定部は、前記ユーザの数に応じて前記車両に対して前記乗降場の利用を許容する基本時間を計算し、前記認識部により認識された前記滞在時間が前記基本時間より長い場合、前記ユーザにペナルティを与える、
請求項１から４のうちいずれか１項に記載の課金装置。
【請求項６】
前記決定部は、前記ペナルティの発生を事前予測し、前記事前予測した結果を前記ユーザに通知する、
請求項５に記載の課金装置。
【請求項７】
前記ペナルティは、前記利用料金の課金レートをより割高なレートに変更することと、前記利用料金に加えて追加料金を徴収することのうち少なくとも一方である、
請求項５または６に記載の課金装置。
【請求項８】
前記認識部は、前記車両に乗車したまたは乗車しようとしているユーザの種別を前記乗員構成として認識し、
前記決定部は、前記ユーザの種別に応じて前記車両に対して前記乗降場の利用を許容する基本時間を計算する、
請求項１から７のうちいずれか１項に記載の課金装置。
【請求項９】
前記駐車場および前記乗降場の混雑情報に基づいて、前記車両のユーザに出庫時間の変更を提案する出庫時間提案部をさらに備える、
請求項１から８のうちいずれか１項に記載の課金装置。
【請求項１０】
前記出庫時間提案部は、前記駐車場および前記乗降場の混雑情報に基づいて、前記ユーザの出庫予定時間における前記乗降場の混雑度合を予測し、混雑度合が閾値以上である場合に前記ユーザに前記混雑度合が閾値未満の出庫時間に変更するよう提案し、
前記決定部は、前記ユーザが前記出庫時間提案部による提案に同意して出庫時間を変更した場合に前記ユーザに報酬を与えると決定する、
請求項９に記載の課金装置。
【請求項１１】
コンピュータが、
駐車場の乗降場にいる車両および前記車両の乗員構成を認識し、
前記車両の前記乗降場付近の滞在時間を測定し、
認識結果に基づいて前記乗降場の利用料金を決定する、
課金方法。
【請求項１２】
コンピュータに、
駐車場の乗降場にいる車両および前記車両の乗員構成を認識させ、
前記車両の前記乗降場付近の滞在時間を測定させ、
認識結果に基づいて前記乗降場の利用料金を決定させる、
プログラム。
【発明の詳細な説明】
【技術分野】
【０００１】
本発明は、課金装置、課金方法、およびプログラムに関する。
【背景技術】
【０００２】
近年、車両を自動的に制御することについて研究が進められている。これに関連して、自動バレーパーキングに適した乗降場を有する駐車場についての技術が開示されている（例えば、特許文献１）。特許文献１では、降車と乗車のエリアを一体にした乗降場を設け、入庫状況および出庫状況の判定結果に応じて乗降エリアにおける乗車専用エリアと降車専用エリアの割合を変更することが示されている。
【先行技術文献】
【特許文献】
【０００３】
【特許文献１】特開２０１８−１４５６５５号公報
【発明の概要】
【発明が解決しようとする課題】
【０００４】
しかしながら、従来の技術では、乗降場を先に利用開始した車両が長時間乗降エリアを占有する可能性があり、乗降場が混雑する可能性があった。
【０００５】
本発明は、このような事情を考慮してなされたものであり、乗降場の混雑を緩和することができる課金装置、課金方法、およびプログラムを提供することを目的の一つとする。
【課題を解決するための手段】
【０００６】
この発明に係る課金装置、課金方法、およびプログラムは、以下の構成を採用した。
（１）：この発明の一態様に係る課金装置は、駐車場の乗降場を利用する車両および前記車両の乗員構成を認識する認識部と、前記車両の前記乗降場付近の滞在時間を測定する測定部と、前記認識部による認識結果に基づいて前記乗降場の利用料金を決定する決定部と備える課金装置である。
【０００７】
（２）：上記（１）の態様において、前記認識部は、前記車両に乗車したまたは乗車しようとしているユーザの数を前記乗員構成として認識し、前記決定部は、前記ユーザの数に応じて前記車両に対して前記乗降場の利用を許容する基本時間を計算し、前記認識部により認識された前記滞在時間が前記基本時間より短い場合、前記ユーザに報酬を与えるものである。
【０００８】
（３）：上記（２）の態様において、前記決定部は、前記報酬の発生を事前予測し、前記事前予測した結果を前記ユーザに通知するものである。
【０００９】
（４）：上記（２）または（３）の態様において、前記報酬は、前記利用料金の課金レートをより割安なレートに変更すること、前記乗降場の利用に対する料金の割引または値引きのうち少なくともいずれかを提供することであるものである。
【００１０】
（５）：上記（１）から（４）のいずれかの態様において、前記認識部は、前記車両に乗車したまたは乗車しようとしているユーザの数を前記乗員構成として認識し
前記決定部は、前記ユーザの数に応じて前記車両に対して前記乗降場の利用を許容する基本時間を計算し、前記認識部により認識された前記滞在時間が前記基本時間より長い場合、前記ユーザにペナルティを与えるものである。
【００１１】
（６）：上記（５）の態様において、前記決定部は、前記ペナルティの発生を事前予測し、前記事前予測した結果を前記ユーザに通知することである。
【００１２】
（７）：上記（５）または（６）の態様において前記ペナルティは、前記利用料金の課金レートをより割高なレートに変更することと、前記利用料金に加えて追加料金を徴収することのうち少なくとも一方であるものである。
【００１３】
（８）：上記（１）から（７）のいずれかの態様において、前記認識部は、前記車両に乗車したまたは乗車しようとしているユーザの種別を前記乗員構成として認識し、前記決定部は、前記ユーザの種別に応じて前記車両に対して前記乗降場の利用を許容する基本時間を計算するものである。
【００１４】
（９）：上記（１）から（８）のいずれかの態様において、前記駐車場および前記乗降場の混雑情報に基づいて、前記車両のユーザに出庫時間の変更を提案する出庫時間提案部をさらに備えるものである。
【００１５】
（１０）：上記（９）の態様において、前記出庫時間提案部は、前記駐車場および前記乗降場の混雑情報に基づいて、前記ユーザの出庫予定時間における前記乗降場の混雑度合を予測し、混雑度合が閾値以上である場合に前記ユーザに前記混雑度合が閾値未満の出庫時間に変更するよう提案し、前記決定部は、前記ユーザが前記出庫時間提案部による提案に同意して出庫時間を変更した場合に前記ユーザに報酬を与えると決定するものである。
【００１６】
（１１）：この発明の一態様に係る課金方法は、コンピュータが、駐車場の乗降場にいる車両および前記車両の乗員構成を認識し、前記車両の前記乗降場付近の滞在時間を測定し、認識結果に基づいて前記乗降場の利用料金を決定する、課金方法である。
【００１７】
（１２）：この発明の一態様に係るプログラムは、コンピュータに、駐車場の乗降場にいる車両および前記車両の乗員構成を認識させ、前記車両の前記乗降場付近の滞在時間を測定させ、認識結果に基づいて前記乗降場の利用料金を決定させる、プログラムである。
【発明の効果】
【００１８】
（１）〜（１２）によれば、乗降場の混雑を緩和することができる。
【図面の簡単な説明】
【００１９】
【図１】車両システム１の構成図である。
【図２】第１制御部１２０および第２制御部１６０の機能構成図である。
【図３】自走駐車イベントが実行される場面を模式的に示す図である。
【図４】駐車場管理装置４００の構成の一例を示す図である。
【図５】課金装置５００の構成の一例を示す図である。
【図６】課金レート５８２の一例を示す図である。
【図７】駐車場混雑情報５６４の一例を示す図である。
【図８】ユーザ種別５６６の一例を示す図である。
【図９】駐車場管理装置４００および課金装置５００の処理の流れの一例を示すタイミングチャートである。
【図１０】課金装置５００の課金処理の流れの一例を示すフローチャートである。
【図１１】課金装置５００の課金処理の流れの一例を示すフローチャートである。
【図１２】実施形態の課金装置５００のハードウェア構成の一例を示す図である。
【発明を実施するための形態】
【００２０】
以下、図面を参照し、本発明の課金装置、課金方法、およびプログラムの実施形態について説明する。
【００２１】
［全体構成］
図１は、車両システム１の構成図である。車両システム１が搭載される車両は、例えば、二輪や三輪、四輪等の車両であり、その駆動源は、ディーゼルエンジンやガソリンエンジンなどの内燃機関、電動機、或いはこれらの組み合わせである。電動機は、内燃機関に連結された発電機による発電電力、或いは二次電池や燃料電池の放電電力を使用して動作する。
【００２２】
車両システム１は、例えば、カメラ１０と、レーダ装置１２と、ファインダ１４と、物体認識装置１６と、通信装置２０と、ＨＭＩ（Human Machine Interface）３０と、車両センサ４０と、ナビゲーション装置５０と、ＭＰＵ（Map Positioning Unit）６０と、運転操作子８０と、自動運転制御装置１００と、走行駆動力出力装置２００と、ブレーキ装置２１０と、ステアリング装置２２０とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２３】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される車両（以下、車両Ｍ）の任意の箇所に取り付けられる。前方を撮像する場合、カメラ１０は、フロントウインドシールド上部やルームミラー裏面等に取り付けられる。カメラ１０は、例えば、周期的に繰り返し車両Ｍの周辺を撮像する。カメラ１０は、ステレオカメラであってもよい。
【００２４】
レーダ装置１２は、車両Ｍの周辺にミリ波などの電波を放射すると共に、物体によって反射された電波（反射波）を検出して少なくとも物体の位置（距離および方位）を検出する。レーダ装置１２は、車両Ｍの任意の箇所に取り付けられる。レーダ装置１２は、ＦＭ−ＣＷ（Frequency Modulated Continuous Wave）方式によって物体の位置および速度を検出してもよい。
【００２５】
ファインダ１４は、ＬＩＤＡＲ（Light Detection and Ranging）である。ファインダ１４は、車両Ｍの周辺に光を照射し、散乱光を測定する。ファインダ１４は、発光から受光までの時間に基づいて、対象までの距離を検出する。照射される光は、例えば、パルス状のレーザー光である。ファインダ１４は、車両Ｍの任意の箇所に取り付けられる。
【００２６】
物体認識装置１６は、カメラ１０、レーダ装置１２、およびファインダ１４のうち一部または全部による検出結果に対してセンサフュージョン処理を行って、物体の位置、種類、速度などを認識する。物体認識装置１６は、認識結果を自動運転制御装置１００に出力する。物体認識装置１６は、カメラ１０、レーダ装置１２、およびファインダ１４の検出結果をそのまま自動運転制御装置１００に出力してよい。車両システム１から物体認識装置１６が省略されてもよい。
【００２７】
通信装置２０は、例えば、セルラー網やＷｉ−Ｆｉ網、Ｂｌｕｅｔｏｏｔｈ（登録商標）、ＤＳＲＣ（Dedicated Short Range Communication）などを利用して、車両のユーザが利用する端末（以下、ユーザ端末Ｔ）、車両Ｍの周辺に存在する他車両または駐車場管理装置（後述）、課金装置（後述）、或いは各種サーバ装置と通信する。
【００２８】
ＨＭＩ３０は、車両Ｍのユーザに対して各種情報を提示すると共に、ユーザによる入力操作を受け付ける。ＨＭＩ３０は、各種表示装置、スピーカ、ブザー、タッチパネル、スイッチ、キーなどを含む。
【００２９】
車両センサ４０は、車両Ｍの速度を検出する車速センサ、加速度を検出する加速度センサ、鉛直軸回りの角速度を検出するヨーレートセンサ、車両Ｍの向きを検出する方位センサ等を含む。
【００３０】
ナビゲーション装置５０は、例えば、ＧＮＳＳ（Global Navigation Satellite System）受信機５１と、ナビＨＭＩ５２と、経路決定部５３とを備える。ナビゲーション装置５０は、ＨＤＤ（Hard Disk Drive）やフラッシュメモリなどの記憶装置に第１地図情報５４を保持している。ＧＮＳＳ受信機５１は、ＧＮＳＳ衛星から受信した信号に基づいて、車両Ｍの位置を特定する。車両Ｍの位置は、車両センサ４０の出力を利用したＩＮＳ（Inertial Navigation System）によって特定または補完されてもよい。ナビＨＭＩ５２は、表示装置、スピーカ、タッチパネル、キーなどを含む。ナビＨＭＩ５２は、前述したＨＭＩ３０と一部または全部が共通化されてもよい。経路決定部５３は、例えば、ＧＮＳＳ受信機５１により特定された車両Ｍの位置（或いは入力された任意の位置）から、ナビＨＭＩ５２を用いてユーザにより入力された目的地までの経路（以下、地図上経路）を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報などを含んでもよい。地図上経路は、ＭＰＵ６０に出力される。ナビゲーション装置５０は、地図上経路に基づいて、ナビＨＭＩ５２を用いた経路案内を行ってもよい。ナビゲーション装置５０は、例えば、ユーザの保有するスマートフォンやタブレット端末等の端末装置の機能によって実現されてもよい。ナビゲーション装置５０は、通信装置２０を介してナビゲーションサーバに現在位置と目的地を送信し、ナビゲーションサーバから地図上経路と同等の経路を取得してもよい。
【００３１】
ＭＰＵ６０は、例えば、推奨車線決定部６１を含み、ＨＤＤやフラッシュメモリなどの記憶装置に第２地図情報６２を保持している。推奨車線決定部６１は、ナビゲーション装置５０から提供された地図上経路を複数のブロックに分割し（例えば、車両進行方向に関して１００［ｍ］毎に分割し）、第２地図情報６２を参照してブロックごとに推奨車線を決定する。推奨車線決定部６１は、左から何番目の車線を走行するといった決定を行う。推奨車線決定部６１は、地図上経路に分岐箇所が存在する場合、車両Ｍが、分岐先に進行するための合理的な経路を走行できるように、推奨車線を決定する。
【００３２】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報などが含まれてよい。第２地図情報６２は、通信装置２０が他装置と通信することにより、随時、アップデートされてよい。
【００３３】
運転操作子８０は、例えば、アクセルペダル、ブレーキペダル、シフトレバー、ステアリングホイール、異形ステア、ジョイスティックその他の操作子を含む。運転操作子８０には、操作量あるいは操作の有無を検出するセンサが取り付けられており、その検出結果は、自動運転制御装置１００、もしくは、走行駆動力出力装置２００、ブレーキ装置２１０、およびステアリング装置２２０のうち一部または全部に出力される。
【００３４】
自動運転制御装置１００は、例えば、第１制御部１２０と、第２制御部１６０とを備える。第１制御部１２０と第２制御部１６０は、それぞれ、例えば、ＣＰＵ（Central Processing Unit）などのハードウェアプロセッサがプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予め自動運転制御装置１００のＨＤＤやフラッシュメモリなどの記憶装置（非一過性の記憶媒体を備える記憶装置）に格納されていてもよいし、ＤＶＤやＣＤ−ＲＯＭなどの着脱可能な記憶媒体に格納されており、記憶媒体（非一過性の記憶媒体）がドライブ装置に装着されることで自動運転制御装置１００のＨＤＤやフラッシュメモリにインストールされてもよい。
【００３５】
図２は、第１制御部１２０および第２制御部１６０の機能構成図である。第１制御部１２０は、例えば、認識部１３０と、行動計画生成部１４０とを備える。第１制御部１２０は、例えば、ＡＩ（Artificial Intelligence；人工知能）による機能と、予め与えられたモデルによる機能とを並行して実現する。例えば、「交差点を認識する」機能は、ディープラーニング等による交差点の認識と、予め与えられた条件（パターンマッチング可能な信号、道路標示などがある）に基づく認識とが並行して実行され、双方に対してスコア付けして総合的に評価することで実現されてよい。これによって、自動運転の信頼性が担保される。
【００３６】
認識部１３０は、カメラ１０、レーダ装置１２、およびファインダ１４から物体認識装置１６を介して入力された情報に基づいて、車両Ｍの周辺にある物体の位置、および速度、加速度等の状態を認識する。物体の位置は、例えば、車両Ｍの代表点（重心や駆動軸中心など）を原点とした絶対座標上の位置として認識され、制御に使用される。物体の位置は、その物体の重心やコーナー等の代表点で表されてもよいし、表現された領域で表されてもよい。物体の「状態」とは、物体の加速度やジャーク、あるいは「行動状態」（例えば車線変更をしている、またはしようとしているか否か）を含んでもよい。
【００３７】
また、認識部１３０は、例えば、車両Ｍが走行している車線（走行車線）を認識する。例えば、認識部１３０は、第２地図情報６２から得られる道路区画線のパターン（例えば実線と破線の配列）と、カメラ１０によって撮像された画像から認識される車両Ｍの周辺の道路区画線のパターンとを比較することで、走行車線を認識する。なお、認識部１３０は、道路区画線に限らず、道路区画線や路肩、縁石、中央分離帯、ガードレールなどを含む走路境界（道路境界）を認識することで、走行車線を認識してもよい。この認識において、ナビゲーション装置５０から取得される車両Ｍの位置やＩＮＳによる処理結果が加味されてもよい。また、認識部１３０は、一時停止線、障害物、赤信号、料金所、その他の道路事象を認識する。
【００３８】
認識部１３０は、走行車線を認識する際に、走行車線に対する車両Ｍの位置や姿勢を認識する。認識部１３０は、例えば、車両Ｍの基準点の車線中央からの乖離、および車両Ｍの進行方向の車線中央を連ねた線に対してなす角度を、走行車線に対する車両Ｍの相対位置および姿勢として認識してもよい。これに代えて、認識部１３０は、走行車線のいずれかの側端部（道路区画線または道路境界）に対する車両Ｍの基準点の位置などを、走行車線に対する車両Ｍの相対位置として認識してもよい。
【００３９】
認識部１３０は、後述する自走駐車イベントにおいて起動する駐車スペース認識部１３２を備える。駐車スペース認識部１３２の機能の詳細については後述する。
【００４０】
行動計画生成部１４０は、原則的には推奨車線決定部６１により決定された推奨車線を走行し、更に、車両Ｍの周辺状況に対応できるように、車両Ｍが自動的に（運転者の操作に依らずに）将来走行する目標軌道を生成する。目標軌道は、例えば、速度要素を含んでいる。例えば、目標軌道は、車両Ｍの到達すべき地点（軌道点）を順に並べたものとして表現される。軌道点は、道なり距離で所定の走行距離（例えば数［ｍ］程度）ごとの車両Ｍの到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における車両Ｍの到達すべき位置であってもよい。この場合、目標速度や目標加速度の情報は軌道点の間隔で表現される。
【００４１】
行動計画生成部１４０は、目標軌道を生成するにあたり、自動運転のイベントを設定してよい。自動運転のイベントには、定速走行イベント、低速追従走行イベント、車線変更イベント、分岐イベント、合流イベント、テイクオーバーイベント、バレーパーキングなどにおいて無人走行して駐車する自走駐車イベントなどがある。行動計画生成部１４０は、起動させたイベントに応じた目標軌道を生成する。行動計画生成部１４０は、自走駐車イベントを実行する場合に起動する自走駐車制御部１４２を備える。自走駐車制御部１４２の機能の詳細については後述する。
【００４２】
第２制御部１６０は、行動計画生成部１４０によって生成された目標軌道を、予定の時刻通りに車両Ｍが通過するように、走行駆動力出力装置２００、ブレーキ装置２１０、およびステアリング装置２２０を制御する。
【００４３】
図２に戻り、第２制御部１６０は、例えば、取得部１６２と、速度制御部１６４と、操舵制御部１６６とを備える。取得部１６２は、行動計画生成部１４０により生成された目標軌道（軌道点）の情報を取得し、メモリ（不図示）に記憶させる。速度制御部１６４は、メモリに記憶された目標軌道に付随する速度要素に基づいて、走行駆動力出力装置２００またはブレーキ装置２１０を制御する。操舵制御部１６６は、メモリに記憶された目標軌道の曲がり具合に応じて、ステアリング装置２２０を制御する。速度制御部１６４および操舵制御部１６６の処理は、例えば、フィードフォワード制御とフィードバック制御との組み合わせにより実現される。一例として、操舵制御部１６６は、車両Ｍの前方の道路の曲率に応じたフィードフォワード制御と、目標軌道からの乖離に基づくフィードバック制御とを組み合わせて実行する。
【００４４】
走行駆動力出力装置２００は、車両が走行するための走行駆動力（トルク）を駆動輪に出力する。走行駆動力出力装置２００は、例えば、内燃機関、電動機、および変速機などの組み合わせと、これらを制御するＥＣＵ（Electronic Control Unit）とを備える。ＥＣＵは、第２制御部１６０から入力される情報、或いは運転操作子８０から入力される情報に従って、上記の構成を制御する。
【００４５】
ブレーキ装置２１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、第２制御部１６０から入力される情報、或いは運転操作子８０から入力される情報に従って電動モータを制御し、制動操作に応じたブレーキトルクが各車輪に出力されるようにする。ブレーキ装置２１０は、運転操作子８０に含まれるブレーキペダルの操作によって発生させた油圧を、マスターシリンダを介してシリンダに伝達する機構をバックアップとして備えてよい。なお、ブレーキ装置２１０は、上記説明した構成に限らず、第２制御部１６０から入力される情報に従ってアクチュエータを制御して、マスターシリンダの油圧をシリンダに伝達する電子制御式油圧ブレーキ装置であってもよい。
【００４６】
ステアリング装置２２０は、例えば、ステアリングＥＣＵと、電動モータとを備える。電動モータは、例えば、ラックアンドピニオン機構に力を作用させて転舵輪の向きを変更する。ステアリングＥＣＵは、第２制御部１６０から入力される情報、或いは運転操作子８０から入力される情報に従って、電動モータを駆動し、転舵輪の向きを変更させる。
【００４７】
［自走駐車イベント−入庫時］
自走駐車制御部１４２は、例えば、通信装置２０によって駐車場管理装置４００から取得された情報に基づいて、車両Ｍを駐車スペース内に駐車させる。図３は、自走駐車イベントが実行される場面を模式的に示す図である。なお、以下の説明において駐車場ＰＡの一部または全部においてバレーパーキング方式が採用されているものとして説明する。車両Ｍのユーザ（乗員）は、駐車場利用前にバレーパーキング方式の駐車場に入庫するか、手動駐車方式の駐車場に入庫するかを選択する。手動駐車方式の駐車場に入庫する場合、ユーザは駐車スペースＰＳに到着するまで車両Ｍに乗車している。手動駐車方式の駐車場から出庫する場合、ユーザが自ら駐車スペースＰＳまで移動して車両Ｍに乗車してから車両Ｍを発進させる。一方、バレーパーキング方式の駐車場に入庫する場合、ユーザは駐車スペースの手前の専用位置（以下、停止エリア３１０）に車両Ｍを停止させ、停止エリア３１０に隣接する乗降エリア３２０を利用して車両Ｍから降車する。バレーパーキング方式の駐車場に入庫した場合、ユーザは乗車時も同様に、乗降エリア３２０を利用して車両Ｍに乗車する。バレーパーキング方式の駐車場におけるユーザ降車後の車両Ｍの駐車方法については後述する。停止エリア３１０および乗降エリア３２０を合わせたものが「乗降場」の一例である。
【００４８】
図３の道路Ｒｄから訪問先施設に至るまでの経路には、ゲート３００−ｉｎおよび３００−ｏｕｔが設けられている。車両Ｍは、手動運転または自動運転によって、ゲート３００−ｉｎを通過して停止エリア３１０まで進行する。停止エリア３１０は、訪問先施設に接続されている乗降エリア３２０に面している。乗降エリア３２０には、雨や雪を避けるための庇が設けられている。乗降エリア３２０には、乗車専用エリアおよび降車専用エリアが設定されてもよいし、利用を希望するユーザの有無や数に応じて乗車専用エリアや降車専用エリアが変更されてもよい。以下の説明では、乗降エリア３２０は固定の乗車専用エリアおよび降車専用エリアは特に設けられず、乗車ユーザと降車ユーザとによって共同利用されるものとして説明する。また、乗降エリア３２０の利用者を撮像するためのカメラＣが設けられている。カメラＣにより撮像された画像は、例えば、駐車場管理装置４００や、課金装置５００、各車両などに送信され、利用者の認識に用いられる。
【００４９】
車両Ｍは、停止エリア３１０でユーザを下した後、無人で自動運転を行い、駐車場ＰＡ内の駐車スペースＰＳまで移動する自走駐車イベントを開始する。自走駐車イベントの開始トリガは、例えば、ユーザによる何らかの操作であってもよいし、駐車場管理装置４００から無線により所定の信号を受信したことであってもよい。自走駐車制御部１４２は、自走駐車イベントを開始する場合、通信装置２０を制御して駐車リクエストを駐車場管理装置４００に向けて発信する。そして、車両Ｍは、停止エリア３１０から駐車場ＰＡまで、駐車場管理装置４００の誘導に従って、或いは自力でセンシングしながら移動する。
【００５０】
図４は、駐車場管理装置４００の構成の一例を示す図である。駐車場管理装置４００は、例えば、通信部４１０と、制御部４２０と、記憶部４３０とを備える。記憶部４３０には、駐車場地図情報４３２、駐車スペース状態テーブル４３４などの情報が格納されている。
【００５１】
通信部４１０は、車両Ｍその他の車両と無線により通信する。制御部４２０は、通信部４１０により取得された情報と、記憶部４３０に格納された情報とに基づいて、車両を駐車スペースＰＳに誘導する。駐車場地図情報４３２は、駐車場ＰＡの構造を幾何的に表した情報である。また、駐車場地図情報４３２は、駐車スペースＰＳごとの座標を含む。駐車スペース状態テーブル４３４は、例えば、駐車スペースＰＳの識別情報である駐車スペースＩＤに対して、空き状態であるか、満（駐車中）状態であるかを示す状態と、満状態である場合の駐車中の車両の識別情報である車両ＩＤとが対応付けられたものである。
【００５２】
制御部４２０は、通信部４１０が車両から駐車リクエストを受信すると、駐車スペース状態テーブル４３４を参照して状態が空き状態である駐車スペースＰＳを抽出し、抽出した駐車スペースＰＳの位置を駐車場地図情報４３２から取得し、取得した駐車スペースＰＳの位置までの好適な経路を通信部４１０を用いて車両に送信する。また、制御部４２０は、複数の車両の位置関係に基づいて、同時に同じ位置に車両が進行しないように、必要に応じて特定の車両に停止・徐行などを指示する。
【００５３】
経路を受信した車両（以下、車両Ｍであるものとする）では、自走駐車制御部１４２が、経路に基づく目標軌道を生成する。また、目標となる駐車スペースＰＳが近づくと、駐車スペース認識部１３２が、駐車スペースＰＳを区画する駐車枠線などを認識し、駐車スペースＰＳの詳細な位置を認識して自走駐車制御部１４２に提供する。自走駐車制御部１４２は、これを受けて目標軌道を補正し、車両Ｍを駐車スペースＰＳに駐車させる。
【００５４】
［自走駐車イベント−出庫時］
自走駐車制御部１４２および通信装置２０は、車両Ｍが駐車中も動作状態を維持している。自走駐車制御部１４２は、例えば、通信装置２０がユーザの端末装置から迎車リクエストを受信した場合、車両Ｍのシステムを起動させ、車両Ｍを停止エリア３１０まで移動させる。この際に、自走駐車制御部１４２は、通信装置２０を制御して駐車場管理装置４００に発進リクエストを送信する。駐車場管理装置４００の制御部４２０は、入庫時と同様に、複数の車両の位置関係に基づいて、同時に同じ位置に車両が進行しないように、必要に応じて特定の車両に通行経路や停止・徐行などを指示する。停止エリア３１０まで車両Ｍを移動させてユーザを乗せると自走駐車制御部１４２は動作を停止し、以降は手動運転、或いは別の機能部による自動運転が開始される。
【００５５】
なお、上記の説明に限らず、自走駐車制御部１４２は、通信に依らず、カメラ１０、レーダ装置１２、ファインダ１４、または物体認識装置１６による検出結果に基づいて空き状態の駐車スペースを自ら発見し、発見した駐車スペース内に車両Ｍを駐車させてもよい。
【００５６】
図５は、課金装置５００の構成の一例を示す図である。課金装置５００は、車両Ｍがゲート３００−ｉｎを通過してからゲート３００−ｏｕｔに到達するまでの利用時間や、訪問先施設でのユーザの行動などに応じて駐車場の駐車料金を計算する。駐車場管理装置４００および課金装置５００は、別体の装置であってもよいし、一体の装置であってもよいし、クラウドサーバによって制御されるものであってもよい。
【００５７】
課金装置５００は、例えば、通信部５１０と、認識部５２０と、測定部５３０と、決定部５４０と、出庫時間提案部５５０と、記憶部５６０とを備える。
【００５８】
通信部５１０は、駐車場管理装置４００やユーザ端末Ｔ、カメラＣ、車両Ｍ、その他の車両と無線により通信する。認識部５２０は、通信部５１０が受信した情報や、カメラＣにより撮像された画像に基づいて、停止エリア３１０の車両、および乗降エリア３２０における車両Ｍの乗員構成、特に車両Ｍに対応付いたユーザの数とユーザ種別を認識する。車両Ｍに対応付いたユーザの認識方法は、例えば、すべてのユーザは車両Ｍの入庫時にユーザが乗車してきた車両Ｍに再度乗車した状態で出庫するものとして認識してもよいし、カメラＣの複数の撮像結果を解析して車両Ｍが停止エリア３１０に停止した後で車両Ｍに接近し、乗車しようとするユーザを認識してもよいし、ユーザ端末Ｔにより乗車人数の設定をあらかじめ受け付けるものであってもよい。また、認識部５２０は、車両Ｍのユーザの性別、年代、ユーザの手荷物の有無、ユーザが乗降に際して他者の手助けを要するかなどを認識してもよい。
【００５９】
測定部５３０は、認識結果に基づいて、車両Ｍが停止エリア３１０を利用した時間（以下、滞在時間）を計測する。測定部５３０は、例えば、停止エリア３１０における車両Ｍが完全に停車してから計測を開始し、ユーザが車両Ｍに乗車し終えて車両Ｍが発進して停止エリア３１０を離れたら計測を終了することで、乗降エリア３２０を利用した時間を計測する。測定部５３０は、車両Ｍのユーザが乗降エリア３２０を利用した時間を滞在時間として測定するものであってもよい。
【００６０】
決定部５４０は、通信部５１０により受信された情報および認識部５２０により認識された結果に基づいて、車両Ｍに対して請求する駐車料金を決定する。駐車料金には、入出庫時の停止エリア３１０および乗降エリア３２０の利用料金と、駐車場ＰＡの利用料金とが含まれる。
【００６１】
決定部５４０は、駐車場ＰＡでの停車時間などに応じて、駐車場ＰＡの駐車料金を計算する。また、決定部５４０は、入出庫時の停止エリア３１０および乗降エリア３２０の利用料金を計算する。決定部５４０により決定された駐車料金は、通信部５１０を介して車両Ｍまたはゲート３００−ｏｕｔ付近に設置される料金所などに送信され、外部決済装置などにより決済される。
【００６２】
出庫時間提案部５５０は、車両Ｍが駐車場の混雑情報や、停止エリア３１０および乗降エリア３２０の混雑情報に基づいて、ピークシフトのために出庫時間を混雑が緩和された時間に変更することをユーザに提案する。
【００６３】
記憶部５６０には、例えば、課金レート５６２、駐車場混雑情報５６４、ユーザ種別５６６などの情報が格納されている。
【００６４】
図６は、課金レート５６２の一例を示す図である。課金レート５６２には、例えば、通常時の課金レートＲ１に加え、通常時の課金レートより割高な課金レートＲ２およびＲ３や、通常時の課金レートより割安な課金レートＲ０など、複数段階の課金レートが格納される。なお、課金レート５６２に格納されるレート情報は、乗降エリア３２０を利用することに対する課金に用いるレートであるものとして説明する。
【００６５】
図７は、駐車場混雑情報５６４の一例を示す図である。駐車場混雑情報５６４には、例えば、時間帯における駐車場ＰＡや停止エリア３１０および乗降エリア３２０の混雑度合の情報が格納されている。駐車場混雑情報５６４は、例えば、駐車場管理装置４００の駐車スペース状態テーブル４３４などが参照されてもよいし、ユーザ端末Ｔなどにより駐車場管理装置４００に対して入出庫予約が行われた情報に基づいて作成されてもよい。また、駐車場混雑情報５６４は、駐車場管理装置４００により随時提供される、入庫中の車両数、出庫中の車両数、停止エリア３１０の停車数、停止エリア３１０の空きを待っている車両の台数などの情報が反映されてもよい。
【００６６】
図８は、ユーザ種別５６６の一例を示す図である。ユーザ種別５６６には、例えば、決定部５４０が利用料金を計算する際の基準を変更するユーザ種別と、決定部５４０による利用料金の計算方法をどのように変更するかの変更ルールが格納されている。
【００６７】
［利用料金の計算］
以下、決定部５４０による課金処理について説明する。決定部５４０は、例えば、認識部５２０により認識されたユーザの滞在時間と基本時間とに基づいて、車両Ｍの乗降エリア３２０の利用料金の課金を制御する。基本時間とは、車両Ｍに対応付いたユーザの数に応じて乗降エリア３２０の利用を許容する単位時間のことである。例えば、ユーザ１［名］あたり１０［ｓｅｃ］を許容する場合、ユーザが３［名］であれば基本時間は３０［ｓｅｃ］である。基本時間の計算方法は、駐車場の管理者によりあらかじめ設定されるものである。
【００６８】
決定部５４０は、上述のように基本時間を計算し、認識部５２０により認識された滞在時間が基本時間より短い場合、ユーザに報酬を与え、測定部５３０により計測された滞在時間が基本時間より長い場合、ユーザにペナルティを与えてもよい。報酬とは、例えば、割安な課金レートに変更すること（例えば、標準の課金レートＲ１から割安な課金レートＲ０に変更すること）、今回駐車料金の割引や値引き、次回駐車料金の割引クーポン、訪問先施設で利用可能なクーポン、電子マネー等によるポイント還元などである。ペナルティとは、例えば、課金レートを割高なレートに変更することや、計算した利用料金に加えて固定額（例えば、数百［円］程度）の追加料金を徴収することである。
【００６９】
ペナルティが課金レートを変更することである場合、決定部５４０は、課金レート５６２を参照して、適用条件を満たす課金レートを選択する。決定部５４０は、例えば、ユーザの滞在時間が基本時間を１［ｍｉｎ］超過した場合、課金レート５６２を参照して標準の課金レートＲ１よりも割高な課金レートＲ２を適用し、ユーザの滞在時間が基本時間を５［ｍｉｎ］超過した場合、課金レートＲ２よりもさらに割高な課金レートＲ３を適用する。このように、滞在時間が延びることで利用料金が高くなることから、ユーザは車両Ｍに乗り込む時間を短縮しようとすることが期待される。
【００７０】
上述のように計算された基本時間は、例えば、車両ＭのＨＭＩ３０や、ユーザ端末Ｔ、または乗降エリア３２０に設けられた表示装置などを介して通知されてもよい。また、決定部５４０は、上述のように基本時間を計算し、さらに認識部５２０により認識された滞在時間の計測結果に基づいて、報酬またはペナルティが発生する可能性を事前予測し、事前予測した結果を含む情報を基本時間の表示と併せて各種表示装置等に通知させてもよい。通知には、「あと３０［ｓｅｃ］以内に出発すると料金が割引になります」「あと２［ｍｉｎ］で料金が上がります」などのように、報酬またはペナルティが発生するまでの時間についての情報が含まれることが望ましい。このような通知により、ユーザに対して効率的に乗降エリア３２０に利用するよう意識付けをすることができ、乗降エリアの混雑の緩和につながる。
【００７１】
［変更ルールの適用］
決定部５４０は、ユーザに応じて基本時間の計算方法や計算基準を変更してもよい。その場合、決定部５４０は、例えば、認識部５２０により認識されたユーザ種別に応じて、基本時間の計算ルールを変更する。
【００７２】
認識部５２０は、ユーザ種別を認識する。決定部５４０は、例えば、認識部５２０により乗降エリア３２０を利用するユーザに変更ルールを適用する対象のユーザ種別に該当するユーザが含まれると認識された場合、ユーザ種別５６６を参照して、対応するユーザ種別における変更ルールを適用した上で許容時間の計算を行う。例えば、車両Ｍに対応付いたユーザに乳幼児が含まれる場合、決定部５４０は、ユーザ種別５６６を参照して、許容時間の計算方法を通常の基本時間の２倍に変更する。
【００７３】
また、変更ルールは乗降エリア３２０のスムーズな利用に協力的であるユーザにも適用されてもよく、例えば、駐車場管理装置４００により停止エリア３１０および乗降エリア３２０の利用順や割り当て位置の調整を行う場合、積み込み荷物が多いことをユーザ端末Ｔなどにより事前申告しているユーザの車両Ｍは、事前申告がないユーザに対して発生するペナルティ発生条件を適用させないなどの考慮がなされてもよい。決定部５４０は、このような場合にもユーザ種別５６６を参照して基本時間の計算ルールを変更する。
【００７４】
［時間変更の提案］
なお、出庫時間提案部５５０は、駐車場ＰＡおよび乗降エリア３２０の混雑情報に基づいて、ユーザの出庫予定時間における乗降エリア３２０の混雑度合を予測し、多数のユーザの利用が集中することが想定される場合、混雑度合が閾値以上である場合にユーザに混雑度合が閾値未満の出庫時間に変更するよう提案してもよい。混雑度合の閾値は、駐車場の管理者により固定値が設定されてもよいし、前後の時間の混雑度合と相対評価されてもよい。また、変更を提案する時間には上限（例えば、１５〜３０［ｍｉｎ］程度）が設定されてもよい。
【００７５】
例えば、ユーザは、ユーザ端末Ｔを介して車両Ｍに１３時５分に乗降エリア３２０まで車両Ｍに迎えに来てほしいと発進リクエストを送信する。車両Ｍは、駐車場管理装置４００および課金装置５００に１３時５分前後で乗降エリア３２０の利用予約ができるかを問い合わせる。このとき、出庫時間提案部５５０は、１３時、１３時５分、１３時１０分など、ユーザの希望時間よりも幅を持たせて駐車場混雑情報５６４を参照する。図７に示すように１３時５分頃は混雑が予想される場合、出庫時間提案部５５０は出庫時間を１３時１０分などの混雑度合が緩和すると予想される時間帯をユーザに提案する。出庫時間提案部５５０による提案は、例えば、ユーザ端末Ｔに通知される。
【００７６】
決定部５４０は、ユーザが出庫時間提案部５５０による提案に同意して出庫時間を変更した場合にユーザに何らかの報酬を与えてもよい。また、一度出庫時間の変更した場合であっても、変更後の出庫予定時間においても混雑が予想される場合、出庫時間提案部５５０は、同一の車両Ｍのユーザに対してあらためて出庫時間の変更を提案してもよいし、出庫時間の変更の提案をする対象から除外してもよい。
【００７７】
以上のように、課金装置５００が車両Ｍの出庫時（すなわち、車両Ｍのユーザの乗車時）に車両Ｍが停止エリア３１０に停止する時間や、車両Ｍのユーザが乗降エリア３２０を利用する時間に応じて課金する処理について説明したが、これらの課金方法は、車両Ｍの入庫時（すなわち、車両Ｍのユーザの降車時）にも同様の方法で課金処理が行われてもよい。
【００７８】
［処理フロー］
図９は、駐車場管理装置４００および課金装置５００の処理の流れの一例を示すタイミングチャートである。
【００７９】
まず、車両Ｍはユーザ端末Ｔを介して受信したユーザからの発進リクエストを、駐車場管理装置４００に送信する（ステップＳ１１）。次に、駐車場管理装置４００は課金装置５００に出庫予定時間前後の駐車場の混雑情報を提供する（ステップＳ１２）。次に、課金装置５００は、出庫時間提案部５５０による時間変更の提案を行うか否かを判定し（ステップＳ１３）、提案を行う場合にはその時間をユーザ端末Ｔに通知する。ユーザ端末Ｔは、ユーザによる変更に同意するか否かの入力を受け付ける（ステップＳ１４）。ユーザ端末Ｔは、変更を受け付けた場合にはステップＳ１１に処理を戻す。
【００８０】
ステップＳ１３において時間変更の提案を行わないと判定された場合、またはステップＳ１４においてユーザによる変更の同意の入力が得られなかった場合、駐車場管理装置４００は、車両Ｍに出庫開始許可を通知する（ステップＳ１５）。次に、車両Ｍは、自走出庫イベントを開始して（ステップＳ１６）、停止エリア３１０の内側に停止する。次に、認識部５２０は、停止エリア３１０に停止した車両Ｍ、および乗降エリア３２０の利用を開始したユーザを認識する（ステップＳ１７）。
【００８１】
次に、課金装置５００の決定部５４０は、測定部５３０による車両Ｍの乗降エリア３２０の滞在時間を計測結果に基づいて、車両Ｍに対する乗降エリア３２０の利用料金を計算する（ステップＳ１８）。次に、課金装置５００は、ステップＳ１８の計算結果と、駐車料金とを併せて課金・決済し（ステップＳ１９）、車両Ｍまたはユーザ端末Ｔに課金結果を通知する（ステップＳ２０）。以上、本タイミングチャートの処理の説明を終了する。
【００８２】
［課金処理フロー］
図１０および図１１は、課金装置５００の課金処理の流れの一例を示すフローチャートである。図１０および図１１に示す処理は、図９のタイミングチャートのステップＳ１８に該当する処理であり、乗降エリア３２０の利用に対する課金の処理の流れの一例である。
【００８３】
まず、認識部５２０は、車両Ｍが停止エリア３１０に到着して、ユーザが乗降エリア３２０から移動して車両Ｍに乗車できる状態になったか否かを判定する（ステップＳ１００）。乗車できる状態になっていないと判定された場合、認識部５２０は、一定時間経過後に再度ステップＳ１００の処理を行う。乗車できる状態になっていないと判定された場合、測定部５３０は、滞在時間の計測をスタートする（ステップＳ１０２）。
【００８４】
次に、決定部５４０は、認識部５２０による車両Ｍに対応付いたユーザの数とユーザ種別の認識結果を取得して（ステップＳ１０４）、車両Ｍに対応付いたユーザに所定のユーザ種別が含まれるか否か（ユーザ種別５６６に定義されたユーザ種別に該当するユーザが含まれるか否か）を判定する（ステップＳ１０６）。
【００８５】
所定のユーザ種別が含まれない場合、決定部５４０は、ユーザの数とユーザ一人当たりに許容される単位時間との積を計算することで基本時間を計算する（ステップＳ１０８）。所定のユーザ種別が含まれない場合、決定部５４０は、変更ルールを適用した基本時間を計算する（ステップＳ１１０）。
【００８６】
次に、認識部５２０は、ユーザが車両Ｍへの乗車を完了して、車両Ｍが発進して乗降エリア３２０を離れたか否かを判定する（ステップＳ１１２）。車両Ｍが発進したと判定されなかった場合、一定時間経過後に再度ステップＳ１１２の処理を行う。車両Ｍが発進したと判定された場合、測定部５３０はステップＳ１０２で開始した滞在時間の計測をストップする（ステップＳ１１４）。
【００８７】
図１１に移り、決定部５４０は、滞在時間が基本時間を超過したか否かを判定する（ステップＳ１１６）。基本時間を超過した場合、決定部５４０は、課金レート５６２を参照して、適用条件を満たす課金レートを選択して利用料金を再計算する（ステップＳ１１８）。
【００８８】
次に、決定部５４０は、所定の報酬条件を満たすか否かを判定する（ステップＳ１２０）。所定の報酬条件とは、例えば、図９のステップＳ１４において時間変更に同意したことや、滞在時間が基本時間よりも短いことである。所定の報酬条件を満たす場合、決定部５４０は、車両Ｍのユーザに報酬を与えると決定する（ステップＳ１２２）。
【００８９】
次に、決定部５４０は、所定のペナルティ条件を満たすか否かを判定する（ステップＳ１２４）。所定のペナルティとは、ステップＳ１１８における課金レート変更を除いたものであって、例えば、計算した利用料金に加えて追加料金を徴収することである。所定のペナルティ条件を満たす場合、決定部５４０は、車両Ｍのユーザにペナルティを与えると決定する（ステップＳ１２６）。以上、本フローチャートの処理の説明を終了する。
【００９０】
以上説明したように、課金装置５００によれば、認識部５２０が駐車場の乗降エリア３２０における車両Ｍ、車両Ｍに対応付いたユーザの数とそのユーザ種別などの乗員構成を認識し、測定部５３０が車両Ｍの停止エリア３１０の滞在時間を認識し、決定部５４０が滞在時間に基づいて駐車場、特に乗降エリア３２０の利用料金を計算して駐車料金を決定することにより、ユーザが乗降エリア３２０を利用する時間を短縮するように働きかけることができ、乗降エリア３２０の混雑を緩和することができる。
【００９１】
［ハードウェア構成］
図１２は、実施形態の課金装置５００のハードウェア構成の一例を示す図である。図示するように、課金装置５００は、通信コントローラ１００−１、ＣＰＵ１００−２、ワーキングメモリとして使用されるＲＡＭ（Random Access Memory）１００−３、ブートプログラムなどを格納するＲＯＭ（Read Only Memory）１００−４、フラッシュメモリやＨＤＤなどの記憶装置１００−５、ドライブ装置１００−６などが、内部バスあるいは専用通信線によって相互に接続された構成となっている。通信コントローラ１００−１は、自動運転制御装置１００以外の構成要素との通信を行う。記憶装置１００−５には、ＣＰＵ１００−２が実行するプログラム１００−５ａが格納されている。このプログラムは、ＤＭＡ（Direct Memory Access）コントローラ（不図示）などによってＲＡＭ１００−３に展開されて、ＣＰＵ１００−２によって実行される。これによって、課金装置５００のうち一部または全部が実現される。
【００９２】
上記説明した実施形態は、以下のように表現することができる。
プログラムを記憶した記憶装置と、
ハードウェアプロセッサと、を備え、
前記ハードウェアプロセッサが前記記憶装置に記憶されたプログラムを実行することにより、
駐車場の乗降場にいる車両および前記車両の乗員構成を認識し、
前記車両の前記乗降場付近の滞在時間を測定し、
認識結果に基づいて前記乗降場の利用料金を決定する、
ように構成されている、課金装置。
【００９３】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００９４】
１…車両システム、１０…カメラ、１２…レーダ装置、１４…ファインダ、１６…物体認識装置、２０…通信装置、４０…車両センサ、５０…ナビゲーション装置、５１…ＧＮＳＳ受信機、５３…経路決定部、６１…推奨車線決定部、８０…運転操作子、１００…自動運転制御装置、１２０…第１制御部、１３０…認識部、１３２…駐車スペース認識部、１４０…行動計画生成部、１４２…自走駐車制御部、１６０…第２制御部、１６２…取得部、１６４…速度制御部、１６６…操舵制御部、２００…走行駆動力出力装置、２１０…ブレーキ装置、２２０…ステアリング装置、３００−ｉｎ…ゲート、３００−ｏｕｔ…ゲート、３１０…停止エリア、３２０…乗降エリア、４００…駐車場管理装置、４１０…通信部、４２０…制御部、５００…課金装置、５１０…通信部、５２０…認識部、５３０…測定部、５４０…決定部、５５０…出庫時間提案部、Ｍ…車両、Ｕ…ユーザ、Ｔ…ユーザ端末
【図１】
2020166631.tif 000003
【図２】
2020166631.tif 000004
【図３】
2020166631.tif 000005
【図４】
2020166631.tif 000006
【図５】
2020166631.tif 000007
【図６】
2020166631.tif 000008
【図７】
2020166631.tif 000009
【図８】
2020166631.tif 000010
【図９】
2020166631.tif 000011
【図１０】
2020166631.tif 000012
【図１１】
2020166631.tif 000013
【図１２】
2020166631.tif 000014